(57)【要約】【課題】本発明は除湿装置に関するもので、除湿効率が向上し入力を抑制することを目的とする。【解決手段】送風機５によって、吸込口６から本体ケース１内に吸気した空気を第１の上流側ヒートパイプ３ａ、吸熱器１５、第１の下流側ヒートパイプ３ｂ、放熱器１３を順次介して吹出口７へと送風する第１の除湿風路８ａと、送風機５によって吸込口６から本体ケース１内に吸気した空気を第２の上流側ヒートパイプ４ａ、吸熱器１５、第２の下流側ヒートパイプ４ｂ、放熱器１３を順次介して吹出口７へと送風する第２の除湿風路８ｂとを形成し、第１の下流側ヒートパイプ３ｂは第２の下流側ヒートパイプ４ｂの上方に配置したことにより、結露水を再活用でき除湿効率が向上する除湿装置を得られる。【選択図】図２
2020131132.tif 000002
【特許請求の範囲】
【請求項１】
吸込口と吹出口を有する本体ケースと、
前記本体ケース内に設けられた冷凍サイクルと、
環状流路の内部に、加熱されて蒸発しかつ放熱して凝縮する作動流体が封入された第１の循環型ヒートパイプと第２の循環型ヒートパイプと、
前記吸込口より吸込み、前記吹出口より吹き出す送風機とを備え、
前記冷凍サイクルは、圧縮機と、前記圧縮機の下流に順次設けた放熱器、膨張手段、吸熱器とを有し、
前記第１の循環型ヒートパイプは、第１の上流側ヒートパイプと第１の下流側ヒートパイプとを有し、
前記第２の循環型ヒートパイプは、第２の上流側ヒートパイプと第２の下流側ヒートパイプとを有し、
前記送風機によって、前記吸込口から前記本体ケース内に吸気した空気を、前記第１の上流側ヒートパイプ、前記吸熱器、前記第１の下流側ヒートパイプ、前記放熱器を順次介して吹出口へと送風する第１の除湿風路と、
前記送風機によって、前記吸込口から前記本体ケース内に吸気した空気を、前記第２の上流側ヒートパイプ、前記放熱器、前記第２の下流側ヒートパイプ、前記吸熱器を順次介して吹出口へと送風する第２の除湿風路とを形成し、
前記第１の下流側ヒートパイプは、前記第２の下流側ヒートパイプの上方に配置されたことを特徴とする除湿装置。
【請求項２】
前記第１の循環型ヒートパイプは、
前記第１の上流側ヒートパイプと、
前記第１の下流側ヒートパイプと、
前記第１の上流側ヒートパイプと前記第１の下流側ヒートパイプとを連通する複数の第１の連通管とを有し、
前記第１の下流側ヒートパイプは、
多数の第１の下流側フィンと、
多数の前記第１の下流側フィンを連結する第１の下流側連結管とを有し、
前記第１の上流側ヒートパイプは、
多数の第１の上流側フィンと、
多数の前記第１の上流側フィンを連結する第１の上流側連結管とを有し、
前記第２の循環型ヒートパイプは、
前記第２の上流側ヒートパイプと、
前記第２の下流側ヒートパイプと、
前記第２の上流側ヒートパイプと前記第２の下流側ヒートパイプとを連通する複数の第２の連通管とを有し、
前記第２の下流側ヒートパイプは、
多数の第２の下流側フィンと、
多数の前記第２の下流側フィンを連結する第２の下流側連結管とを有し、
前記第２の上流側ヒートパイプは、
多数の第２の上流側フィンと、
多数の前記第２の上流側フィンを連結する第２の上流側連結管とを有し、
前記第１の下流側フィンと前記第２の下流側フィンとは、一体で形成していることを特徴とする請求項１に記載の除湿装置。
【請求項３】
前記第１の下流側フィンは縦長四角板形状であり、
前記第２の下流側フィンは縦長四角板形状であり、
前記第１の下流側フィンの縦方向の寸法は、前記第２の下流側フィンの縦方向の寸法より大きいことを特徴とする請求項２に記載の除湿装置。
【請求項４】
前記第１の上流側フィンと前記第２の上流側フィンとは、一体で形成していることを特徴とする請求項２または３に記載の除湿装置。
【請求項５】
前記第１の上流側フィンは縦長四角板形状であり、
前記第２の上流側フィンは縦長四角板形状であり、
前記第１の上流側フィンの縦方向の寸法は、前記第２の上流側フィンの縦方向の寸法より大きく、前記第１の上流側フィンの縦方向の寸法は、前記第１の下流側フィンの縦方向の寸法より大きいことを特徴とする請求項２から４のいずれかに記載の除湿装置。
【発明の詳細な説明】
【技術分野】
【０００１】
本発明は、冷凍サイクルと循環型ヒートパイプを利用して冷却除湿をおこなう除湿装置に関するものである。
【背景技術】
【０００２】
従来、冷凍サイクルと、循環型ヒートパイプとを備えた除湿装置は、冷凍サイクルである圧縮機と、圧縮機の下流に順次設けた放熱器、膨張手段、吸熱器と、循環型ヒートパイプである上流側ヒートパイプと下流側ヒートパイプとを有している。室内の空気は、送風機によって、上流側ヒートパイプ、吸熱器、下流側ヒートパイプ、放熱器と順次介して送風され、除湿装置を形成していた。（例えばこれに類似する先行文献としては、下記特許文献１が存在する）。
【先行技術文献】
【特許文献】
【０００３】
【特許文献１】特許第９６０８５７号公報
【発明の概要】
【発明が解決しようとする課題】
【０００４】
従来、この種の除湿装置の除湿能力を向上させるために、吸熱器、放熱器の面積を大きくすることは有効であるが、圧縮機の負荷が大きくなり入力が増加する。また、冷媒の循環量を増やすことも有効であるが、圧縮機の負荷が大きくなり入力が増加する。また、風量を増やすこともある程度は有効であるが、増加し過ぎると逆効果になり、騒音値と入力がアップするというデメリットがある。また、ヒートパイプ部分の体積を大きくすることも有効であるが、本体サイズが大きくなり重くなるというデメリットがある。
【０００５】
そこで本発明は、上記従来の課題を解決するものであり、循環型ヒートパイプを効率的に追加配置することで除湿効率を向上させ、入力を抑制した除湿装置を提供することを目的とする。
【課題を解決するための手段】
【０００６】
本発明の除湿装置は上記目的を達成するために、吸込口と吹出口を有する本体ケースと、前記本体ケース内に設けられた冷凍サイクルと、環状流路の内部に、加熱されて蒸発しかつ放熱して凝縮する作動流体が封入された第１の循環型ヒートパイプと第２の循環型ヒートパイプと、前記吸込口より吸込み、前記吹出口より吹き出す送風機とを備え、前記冷凍サイクルは、圧縮機と、前記圧縮機の下流に順次設けた放熱器、膨張手段、吸熱器とを有し、前記第１の循環型ヒートパイプは、第１の上流側ヒートパイプと第１の下流側ヒートパイプとを有し、前記第２の循環型ヒートパイプは、第２の上流側ヒートパイプと第２の下流側ヒートパイプとを有し、前記送風機によって、前記吸込口から前記本体ケース内に吸気した空気を、前記第１の上流側ヒートパイプ、前記吸熱器、前記第１の下流側ヒートパイプ、前記放熱器を順次介して吹出口へと送風する第１の除湿風路と、前記送風機によって、前記吸込口から前記本体ケース内に吸気した空気を、前記第２の上流側ヒートパイプ、前記吸熱器、前記第２の下流側ヒートパイプ、前記放熱器を順次介して吹出口へと送風する第２の除湿風路とを形成し、前記第１の下流側ヒートパイプは、前記第２の下流側ヒートパイプの上方に配置されたことを特徴としたものであり、これにより所期の目的を達成するものである。
【発明の効果】
【０００７】
本発明によれば、除湿効率を向上した除湿装置を得ることができる。
【図面の簡単な説明】
【０００８】
【図１】本発明の実施の形態１の除湿装置の斜視図
【図２】同除湿装置の本体ケース内を示す断面図
【図３】同除湿装置の熱交換器およびヒートパイプ部分の斜視図
【図４】同除湿装置の熱交換器およびヒートパイプ部分の斜視図
【図５】同除湿装置の熱交換器およびヒートパイプ部分の斜視図
【発明を実施するための形態】
【０００９】
以下、本発明の実施の形態について図面を参照しながら説明する。
【００１０】
（実施の形態１）
図１は、本発明の実施の形態１の除湿装置の斜視図である。図２は、本発明の実施の形態１の除湿装置の本体ケース内を示す断面図である。図１、図２に示すように、除湿装置は、本体ケース１と、冷凍サイクル２と、第１の循環型ヒートパイプ３と、第２の循環型ヒートパイプ４と、送風機５とを備えている。
【００１１】
本体ケース１は、箱形状であり、背面には吸込口６を備え、天面の前面側には吹出口７を有している。本体ケース１内には、吸込口６と吹出口７とを連通する除湿風路８と、制御部９と、集水部１０と、集水タンク１１を有している。除湿風路８内には、冷凍サイクル２の一部と、第１の循環型ヒートパイプ３と、第２の循環型ヒートパイプ４と、送風機５が配置されている。
【００１２】
冷凍サイクル２は、圧縮機１２と、圧縮機１２の下流に順次設けた放熱器１３、膨張器としてキャピラリーチューブ１４、吸熱器１５とからなり、これらを、この順に冷媒配管１６で接続して形成している。この吸熱器１５で除湿対象となる空気を冷却除湿するものである。放熱器１３と吸熱器１５とは、対向して配置されている。放熱器１３は、本体ケース１における前面側に配置され、吸熱器１５は、本体ケース１における背面側に配置されている。
【００１３】
図３は、本発明の実施の形態１の除湿装置の熱交換器およびヒートパイプ部分の斜視図であり、本体ケースにおける背面側から熱交換器およびヒートパイプ部分を見た図である。図４は、本発明の実施の形態１の除湿装置の熱交換器およびヒートパイプ部分の斜視図であり、本体ケースにおける左側から熱交換器およびヒートパイプ部分を見た図である。図５は、本発明の実施の形態１の除湿装置の熱交換器およびヒートパイプ部分の斜視図であり、本体ケースにおける右側から熱交換器およびヒートパイプ部分を見た図である。
【００１４】
図３、図４、図５に示すように、第１の循環型ヒートパイプ３は、第１の上流側ヒートパイプ３ａと、第１の下流側ヒートパイプ３ｂと、複数の第１の連通管３０とを有している。
【００１５】
第１の上流側ヒートパイプ３ａは、多数の第１の上流側フィン３１ａと、多数の第１の上流側フィン３１ａを連結する第１の上流側連結管３２ａとを有している。
【００１６】
第１の上流側フィン３１ａは、縦長四角板形状であり、材質がアルミニウムである。多数の第１の上流側フィン３１ａは、隣り合う第１の上流側フィン３１ａの面と面とが対向するように配置されている。
【００１７】
第１の上流側連結管３２ａは、円筒形状であり、材質が銅である。円筒である第１の上流側連結管３２ａは、第１の上流側フィン３１ａにおける長手方向に複数段設けられ、かつ複数回蛇行状に曲げられている。第１の上流側連結管３２ａの直管部分には、多数の第１の上流側フィン３１ａが固定されている。多数の第１の上流側フィン３１ａは、第１の上流側連結管３２ａの直管部分の中心軸方向に、所定の間隔を有して積層されている。
【００１８】
第１の下流側ヒートパイプ３ｂは、多数の第１の下流側フィン３１ｂと、多数の第１の下流側フィン３１ｂを連結する第１の下流側連結管３２ｂとを有している。
【００１９】
第１の下流側フィン３１ｂは、縦長四角板形状であり、材質がアルミニウムである。多数の第１の下流側フィン３１ｂは、隣り合う第１の下流側フィン３１ｂの面と面とが対向するように配置されている。
【００２０】
第１の下流側連結管３２ｂは、円筒形状であり、材質が銅である。円筒である第１の下流側連結管３２ｂは、第１の下流側フィン３１ｂにおける長手方向（上下方向）に複数段設けられ、かつ複数回蛇行状に曲げられている。第１の下流側連結管３２ｂの直管部分には、多数の第１の下流側フィン３１ｂが固定されている。多数の第１の下流側フィン３１ｂは、第１の下流側連結管３２ｂの直管部分の中心軸方向に、所定の間隔を有して積層されている。
【００２１】
複数の第１の連通管３０は、第１の上連通管３０ａと、第１の下連通管３０ｂとを有している。
【００２２】
第１の上連通管３０ａは、第１の上流側連結管３２ａにおける上方に配置された一方側端部と、第１の下流側連結管３２ｂにおける上方に配置された一方側端部との間に配置されている。第１の上連通管３０ａは、第１の上流側連結管３２ａと第１の下流側連結管３２ｂとを連通する。第１の上連通管３０ａは、第１の下流側ヒートパイプ３ｂから第１の上流側ヒートパイプ３ａに向かうにつれて下方へ傾斜している。
【００２３】
第１の下連通管３０ｂは、第１の上流側連結管３２ａにおける下方に配置された一方側端部と、第１の下流側連結管３２ｂにおける下方に配置された一方側端部との間に配置されている。第１の下連通管３０ｂは、第１の上流側連結管３２ａと第１の下流側連結管３２ｂとを連通する。第１の下連通管３０ｂは、第１の下流側ヒートパイプ３ｂから第１の上流側ヒートパイプ３ａに向かうにつれて下方へ傾斜している。
【００２４】
第２の循環型ヒートパイプ４は、第２の上流側ヒートパイプ４ａと、第２の下流側ヒートパイプ４ｂと、複数の第２の連通管４０とを有している。
【００２５】
第２の上流側ヒートパイプ４ａは、多数の第２の上流側フィン４１ａと、多数の第２の上流側フィン４１ａを連結する第２の上流側連結管４２ａとを有している。
【００２６】
第２の上流側フィン４１ａは、縦長四角板形状であり、材質がアルミニウムである。多数の第２の上流側フィン４１ａは、隣り合う第２の上流側フィン４１ａの面と面とが対向するように配置されている。
【００２７】
第２の上流側連結管４２ａは、円筒形状であり、材質が銅である。円筒である第２の上流側連結管４２ａは、第２の上流側フィン４１ａにおける長手方向に複数段設けられ、かつ複数回蛇行状に曲げられている。第２の上流側連結管４２ａの直管部分には、多数の第２の上流側フィン４１ａが固定されている。多数の第２の上流側フィン４１ａは、第２の上流側連結管４２ａの直管部分の中心軸方向に、所定の間隔を有して積層されている。
【００２８】
第２の下流側ヒートパイプ４ｂは、多数の第２の下流側フィン４１ｂと、多数の第２の下流側フィン４１ｂを連結する第２の下流側連結管４２ｂとを有している。
【００２９】
第２の下流側フィン４１ｂは、縦長四角板形状であり、材質がアルミニウムである。多数の第２の下流側フィン４１ｂは、隣り合う第２の下流側フィン４１ｂの面と面とが対向するように配置されている。
【００３０】
第２の下流側連結管４２ｂは、円筒形状であり、材質が銅である。円筒である第２の下流側連結管４２ｂは、第２の下流側フィン４１ｂにおける長手方向（上下方向）に複数段設けられ、かつ複数回蛇行状に曲げられている。第２の下流側連結管４２ｂの直管部分には、多数の第２の下流側フィン４１ｂが固定されている。多数の第２の下流側フィン４１ｂは、第２の下流側連結管４２ｂの直管部分の中心軸方向に、所定の間隔を有して積層されている。
【００３１】
複数の第２の連通管４０は、第２の上連通管４０ａと、第２の下連通管４０ｂとを有している。
【００３２】
第２の上連通管４０ａは、第２の上流側連結管４２ａにおける上方に配置された一方側端部と、第２の下流側連結管４２ｂにおける上方に配置された一方側端部との間に配置されている。第２の上連通管４０ａは、第２の上流側連結管４２ａと第２の下流側連結管４２ｂとを連通する。第２の上連通管４０ａは、第２の下流側ヒートパイプ４ｂから第２の上流側ヒートパイプ４ａに向かうにつれて下方へ傾斜している。
【００３３】
第２の下連通管４０ｂは、第２の上流側連結管４２ａにおける下方に配置された一方側端部と、第２の下流側連結管４２ｂにおける下方に配置された一方側端部との間に配置されている。第２の下連通管４０ｂは、第２の上流側連結管４２ａと第２の下流側連結管４２ｂとを連通する。第２の下連通管４０ｂは、第２の下流側ヒートパイプ４ｂから第２の上流側ヒートパイプ４ａに向かうにつれて下方へ傾斜している。
【００３４】
第１の循環型ヒートパイプ３の第１の上流側ヒートパイプ３ａと、第２の循環型ヒートパイプ４の第２の上流側ヒートパイプ４ａとは、本体ケース１の吸込口６と冷凍サイクル２の吸熱器１５との間に配置されている。
【００３５】
第１の循環型ヒートパイプ３の第１の下流側ヒートパイプ３ｂと、第２の循環型ヒートパイプ４の第２の下流側ヒートパイプ４ｂとは、冷凍サイクル２の放熱器１３と冷凍サイクル２の吸熱器１５との間に配置されている。
【００３６】
図２、図３に示すように、送風機５は、スクロール形状のケーシング部１７と、このケーシング部１７に固定されたモータ部１８と、このモータ部１８によって回転する羽根部１９とから形成している。モータ部１８は、水平方向に延びた回転軸２０を有している。ケーシング部１７は、吸入口１７ａと吐出口１７ｂとを備えている。この吸入口１７ａは、放熱器１３に対向している。ケーシング部１７の吸入口１７ａと、放熱器１３と、吸熱器１５と、本体ケース１の吸込口６とは、モータ部１８の回転軸２０の中心軸上に配置されている。
【００３７】
本体ケース１内には、吸込口６と吹出口７とを連通し、吸込口６から吸い込まれた空気を除湿する除湿風路８を備えている。除湿風路８は、第１の除湿風路８ａと第２の除湿風路８ｂとを有する。
【００３８】
第１の除湿風路８ａは、送風機５によって本体ケース１の吸込口６からに吸い込まれた空気が、第１の上流側ヒートパイプ３ａ、吸熱器１５、第１の下流側ヒートパイプ３ｂ、放熱器１３を順次介して吹出口７へと送風される風路である。
【００３９】
第１の除湿風路８ａにおける除湿動作について説明する。
【００４０】
まず、第１の上流側ヒートパイプ３ａには、第１の下流側ヒートパイプ３ｂによって冷却された冷媒が、流れ込む。この冷媒によって、第１の上流側ヒートパイプ３ａは冷される。吸込口６から吸い込まれた空気が、この第１の上流側ヒートパイプ３ａに送風され、第１の上流側ヒートパイプ３ａと熱交換を行い、予冷される。
【００４１】
次に、予冷された空気が、吸熱器１５へ送風され、予冷された空気の一部が吸熱器１５で更に冷却され、除湿される。
【００４２】
次に、吸熱器１５を通過した空気が、第１の下流側ヒートパイプ３ｂへ送風される。第１の下流側ヒートパイプ３ｂは、吸熱器１５を通過した空気によって冷却され、この第１の下流側ヒートパイプ３ｂで冷却された冷媒が、第１の下流側ヒートパイプ３ｂにおける上部から下部へ移動する。これによって、第１の下流側ヒートパイプ３ｂの下部は、第１の下流側ヒートパイプ３ｂの上部に比べ、温度が低くなる。この第１の下流側ヒートパイプ３ｂにおける下部は、吸熱器１５よりは高い温度ではあるが、第１の下流側ヒートパイプ３ｂに送風される空気の一部を冷却し、除湿する。
【００４３】
最後に、第１の下流側ヒートパイプ３ｂを通過した空気が、放熱器１３へ送風され、放熱器１３と熱交換を行い温められる。この温められた空気が、吹出口７を介して、室内へ送風される。
【００４４】
第２の除湿風路８ｂは、送風機５によって本体ケース１の吸込口６からに吸い込まれた空気が、第２の上流側ヒートパイプ４ａ、吸熱器１５、第２の下流側ヒートパイプ４ｂ、放熱器１３を順次介して吹出口７へと送風される風路である。
【００４５】
第２の除湿風路８ｂにおける除湿動作について説明する。
【００４６】
まず、第２の上流側ヒートパイプ４ａには、第２の下流側ヒートパイプ４ｂによって冷却された冷媒が、流れ込む。この冷媒によって、第２の上流側ヒートパイプ４ａは冷される。吸込口６から吸い込まれた空気が、この第２の上流側ヒートパイプ４ａに送風され、第２の上流側ヒートパイプ４ａと熱交換を行い、予冷される。
【００４７】
次に、予冷された空気が、吸熱器１５へ送風され、予冷された空気の一部が吸熱器１５で更に冷却され、除湿される。
【００４８】
次に、吸熱器１５を通過した空気が、第２の下流側ヒートパイプ４ｂへ送風される。第２の下流側ヒートパイプ４ｂは、吸熱器１５を通過した空気によって冷却され、この第２の下流側ヒートパイプ４ｂで冷却された冷媒が、第２の循環型ヒートパイプ４の第２の下流側ヒートパイプ４ｂにおける上部から下部へ移動する。これによって、第２の循環型ヒートパイプ４の第２の下流側ヒートパイプ４ｂの下部は、第２の下流側ヒートパイプ４ｂの上部に比べ、温度が低くなる。この第２の下流側ヒートパイプ４ｂにおける下部は、吸熱器１５よりは高い温度ではあるが、第２の下流側ヒートパイプ４ｂに送風される空気の一部を冷却し、除湿する。
【００４９】
最後に、第２の下流側ヒートパイプ４ｂを通過した空気が、放熱器１３へ送風され、放熱器１３と熱交換を行い温められる。この温められた空気が、吹出口７を介して、室内へ送風される。
【００５０】
本実施形態における特徴は、第１の下流側ヒートパイプ３ｂは、第２の下流側ヒートパイプ４ｂの上方に配置された点である。
【００５１】
具体的には、第１の下流側ヒートパイプ３ｂには、吸熱器１５を通過した空気が、送風される。第１の下流側ヒートパイプ３ｂは、吸熱器１５を通過した空気によって冷却され、この第１の下流側ヒートパイプ３ｂで冷却された冷媒が、第１の下流側ヒートパイプ３ｂにおける上部から下部へ移動する。これによって、第１の下流側ヒートパイプ３ｂの下部は、第１の下流側ヒートパイプ３ｂの上部に比べ、温度が低くなる。この第１の下流側ヒートパイプ３ｂにおける下部は、吸熱器１５よりは高い温度ではあるが、第１の下流側ヒートパイプ３ｂに送風される空気の一部を冷却し、除湿する。この除湿時に、第１の下流側ヒートパイプ３ｂにおける下部には、結露水が発生する。
【００５２】
次に、第１の下流側ヒートパイプ３ｂは、第２の下流側ヒートパイプ４ｂの上方に配置され、この結露水は、重力によって第１の下流側ヒートパイプ３ｂから第２の下流側ヒートパイプ４ｂに移動する。結露水は、温度が低い為、第２の下流側ヒートパイプ４ｂは、吸熱器１５を通過した空気だけでなく、この結露水によっても冷却される。このように冷却された第２の下流側ヒートパイプ４ｂの下部が、第２の循環型ヒートパイプ４に送風される空気の一部を冷却し、除湿するので、除湿量が多くなる。
【００５３】
また、第１の下流側フィン３１ｂと第２の下流側フィン４１ｂとは、一体で形成している。第１の下流側フィン３１ｂと第２の下流側フィン４１ｂとは、一枚の金属板によって形成している。これにより、第１の下流側ヒートパイプ３ｂにおける下部で発生した結露水が、第１の下流側フィン３１ｂから第２の下流側フィン４１ｂに移動し易くなる。
【００５４】
また、第１の下流側フィン３１ｂと第２の下流側フィン４１ｂとは、一枚のアルミニウム板によって形成し、親水処理を行っている。親水処理の一例は、エアコン室内機の熱交換器や除湿機の吸熱器１５等で利用され、水が水滴形状になり通風抵抗になるのを防止するおよび液の流動性向上によりスムーズに結露水を排水できるものである。
【００５５】
これにより、第１の下流側ヒートパイプ３ｂにおける下部で発生した結露水が、更に第１の下流側フィン３１ｂから第２の下流側フィン４１ｂに移動し易くなる。加えて、第１の下流側フィン３１ｂにおける長手方向（上下方向）に複数段設けられた第１の下流側連結管３２ｂと、第２の下流側フィン４１ｂにおける長手方向（上下方向）に複数段設けられた第２の下流側連結管４２ｂとは、材質が銅である。第１の下流側フィン３１ｂと第２の下流側フィン４１ｂとに親水処理を行うことによって、結露水が介在する銅とアルミニウムとの接触部分で発生する電食を抑制できる。
【００５６】
また、一体で形成することで熱交換器組立も簡略化でき、第１の下流側ヒートパイプ３ｂと第２の下流側ヒートパイプ４ｂの固定方法は放熱器１３や吸熱器１５と同様の上下方向から挟み込む方式で簡単に固定することが可能になり、第１の下流側ヒートパイプ３ｂと第２の下流側ヒートパイプ４ｂを別途連結する必要がなくなる。
【００５７】
また、第１の下流側フィン３１ｂは縦長四角板形状であり、第２の下流側フィン４１ｂは縦長四角板形状である。第１の下流側フィン３１ｂの縦方向の寸法は、第２の下流側フィン４１ｂの縦方向の寸法より大きい。これにより、第１の下流側フィン３１ｂの縦方向の寸法は、第２の下流側フィン４１ｂの縦方向の寸法より大きいので、第１の下流側フィン３１ｂでは、第２の下流側フィン４１ｂに比べて結露水が発生しやすくなる。第２の下流側フィン４１ｂは、第１の下流側フィン３１ｂからの結露水によって、冷やされるので、第２の下流側フィン４１ｂの縦方向の寸法は、第１の下流側フィン３１ｂの縦方向の寸法に比べて小さい場合にも、第１の下流側フィン３１ｂの下部の温度と、第２の下流側フィン４１ｂの下部の温度とが近づくので、第１の下流側フィン３１ｂの下部での除湿量と、第２の下流側フィン４１ｂの下部での除湿量とが近づき、全体の除湿量が向上する。
【００５８】
また、第１の上流側フィン３１ａと第２の上流側フィン４１ａとは、一体で形成している。第１の上流側フィン３１ａと第２の上流側フィン４１ａとは、一枚の金属板によって形成している。これにより、熱交換器組立が簡略化でき、第１の上流側ヒートパイプ３ａと第２の上流側ヒートパイプ４ａの固定方法は放熱器１３や吸熱器１５と同様の上下方向から挟み込む方式で簡単に固定することが可能になり、第１の上流側ヒートパイプ３ａと第２の上流側ヒートパイプ４ａを別途連結する必要がなくなる。
【００５９】
また、第１の上流側フィン３１ａと第２の上流側フィン４１ａとは、一枚のアルミニウム板によって形成し、親水処理を行っている。加えて、第１の上流側フィン３１ａにおける長手方向（上下方向）に複数段設けられた第１の上流側連結管３２ａと、第２の上流側フィン４１ａにおける長手方向（上下方向）に複数段設けられた第２の上流側連結管４２ａとは、材質が銅である。第１の上流側フィン３１ａと第２の上流側フィン４１ａとに親水処理を行うことによって、吸熱器１５および第１の下流側ヒートパイプ３ｂと第２の下流側ヒートパイプ４ｂの下部で発生した結露水が介在する銅とアルミニウムとの接触部分で発生する電食を抑制できる。
【００６０】
また、第１の上流側フィン３１ａと第２の上流側フィン４１ａとは、一体で形成している。第１の上流側フィン３１ａは縦長四角板形状であり、第２の上流側フィン４１ａは縦長四角板形状である。第１の上流側フィン３１ａの縦方向の寸法は、第２の上流側フィン４１ａの縦方向の寸法より大きく、第１の上流側フィン３１ａの縦方向の寸法は、第２の上流側フィン４１ａの縦方向の寸法より大きい。
【００６１】
これにより、第１の上流側フィン３１ａの縦方向の寸法は、第２の上流側フィン４１ａの縦方向の寸法より大きいので、第１の上流側フィン３１ａでは、第２の上流側フィン４１ａに比べて熱交換量が多く予冷効果が大きくなり、第１の除湿風路８ａ上の吸熱器１５および第１の下流側ヒートパイプ３ｂで結露水が発生しやすくなる。これにより、第２の下流側ヒートパイプ４ｂは、第１の下流側ヒートパイプ３ｂからの結露水によって、より冷やされることになる。ここで、第１の上流側フィン３１ａの縦方向の寸法は、第２の上流側フィン４１ａの縦方向の寸法に比べて小さい場合にも、第２の下流側フィン４１ｂが十分冷えることで、第１の上流側フィン３１ａの下部の温度と、第２の上流側フィン４１ａの下部の温度とが近づく。結果として、第１の下流側フィン３１ｂの下部での除湿量と、第２の下流側フィン４１ｂの下部での除湿量とが近づき、全体の除湿量が向上する。
【００６２】
また、実施例では第１の上流側連結管３２ａと第２の上流側連結管４２ａと第１の下流側連結管３２ｂと第２の下流側連結管４２ｂの材質を銅で説明したが、フィンと同じ材質のアルミニウムで形成しても同様の効果を得られる。
【産業上の利用可能性】
【００６３】
本発明に係る除湿装置は、除湿効率が向上し入力抑制を可能とするもので、室内の洗濯物を乾燥させる家庭用や事務所用などに使用される除湿装置として有用である。
【符号の説明】
【００６４】
１    本体ケース
２    冷凍サイクル
３    第１の循環型ヒートパイプ
３ａ    第１の上流側ヒートパイプ
３ｂ    第１の下流側ヒートパイプ
４    第２の循環型ヒートパイプ
４ａ    第２の上流側ヒートパイプ
４ｂ    第２の下流側ヒートパイプ
５    送風機
６    吸込口
７    吹出口
８    除湿風路
８ａ    第１の除湿風路
８ｂ    第２の除湿風路
９    制御部
１０    集水部
１１    集水タンク
１２    圧縮機
１３    放熱器
１４    キャピラリーチューブ
１５    吸熱器
１６    冷媒配管
１７    ケーシング部
１７ａ    吸入口
１７ｂ    吐出口
１８    モータ部
１９    羽根部
２０    回転軸
３０    第１の連通管
３０ａ    第１の上連通管
３０ｂ    第１の下連通管
３１ａ    第１の上流側フィン
３１ｂ    第１の下流側フィン
３２ａ    第１の上流側連結管
３２ｂ    第１の下流側連結管
４０    第２の連通管
４０ａ    第２の上連通管
４０ｂ    第２の下連通管
４１ａ    第２の上流側フィン
４１ｂ    第２の下流側フィン
４２ａ    第２の上流側連結管
４２ｂ    第２の下流側連結管
【図１】
2020131132.tif 000003
【図２】
2020131132.tif 000004
【図３】
2020131132.tif 000005
【図４】
2020131132.tif 000006
【図５】
2020131132.tif 000007